(57)【要約】【課題】貯湯タンク内の湯水の排水を、短時間で確実に行う事が出来る貯湯式給湯装置を提供する。【解決手段】入水管６と出湯管５が接続され湯水を貯湯する貯湯タンク４と、前記貯湯タンク４内の湯水を加熱する加熱手段２とを備え、前記貯湯タンク４内の湯水を排水する時に、該貯湯タンク４に接続される排水ポンプ３０を設けた排水管２９を別置きしたので、出張や旅行で長期間留守にする場合の貯湯タンク４の水抜きは、排水管２９を接続し排水ポンプ３０を使用して強制的に行われるので、極めて短時間で終了し待つ必要がなく使用勝手が良く、前もって排水しておくこともなく、その場で直ぐに行われるもので手間も掛からないものであり、しかも排水路が上に有る場合でも容易に排水することが出来安心して使用出来るものである。【選択図】  図１
2004197957.tif 000002
【特許請求の範囲】
【請求項１】
入水管と出湯管が接続され湯水を貯湯する貯湯タンクと、前記貯湯タンク内の湯水を加熱する加熱手段とを備えたものに於いて、前記貯湯タンク内の湯水を排水する時に、該貯湯タンクに接続される排水ポンプを設けた排水管を別置きした事を特徴とする貯湯式給湯装置。
【請求項２】
前記排水ポンプは、器具本体或いは操作用リモコンの排水スイッチの操作で駆動開始し、駆動開始からの時間をカウントする停止タイマ或いは、流量センサや貯湯タンク内の空状態を検出する空検知センサからの信号で、自動的に駆動停止される事を特徴とする請求項１記載の貯湯式給湯装置。
【発明の詳細な説明】
【０００１】
【発明の属する技術分野】
この発明は、ヒートポンプ給湯機や電気温水器等の貯湯式給湯装置に関するものである。
【０００２】
【従来の技術】
従来よりこの種のものに於いては、例えば特開２００２−４８４０５号公報に開示されているように、出張や旅行で長期間留守にする時には、貯湯タンク内の湯水の凍結防止及び腐敗防止の為に、該貯湯タンク内の水抜きを給水栓を閉めてから排水栓を開けることで行うものであった。
【０００３】
【発明が解決しようとする課題】
ところでこの従来のものでは、自然落差を利用して排水するものであり、貯湯タンク容量は３００Ｌ以上であって、全て排水するまで３０分以上もかかってしまうので、排水が終了するまで待たなければならず、前もって排水しておく必要があり、使用者にとっては手間が掛かり面倒なものであった。
又自然落差による排水であるので、排水路が上に有る場合には新たな工事も必要になるものであった。
【０００４】
この発明はこの点に着目し上記欠点を解決する為、特にその構成を、入水管と出湯管が接続され湯水を貯湯する貯湯タンクと、前記貯湯タンク内の湯水を加熱する加熱手段とを備えたものに於いて、前記貯湯タンク内の湯水を排水する時に、該貯湯タンクに接続される排水ポンプを設けた排水管を別置きしたものである。
【０００５】
これによって、排水時には排水ポンプ付きの排水管を貯湯タンクに接続することで、排水は排水ポンプで強制的に行われるので、極めて短時間で終了し待つ必要がなく使用勝手が良く、前もって排水しておくこともなく、その場で直ぐに行われるもので手間も掛からないものであり、しかも排水路が上に有る場合でも容易に排水することが出来安心して使用出来るものである。
【０００６】
又請求項２では、排水ポンプを停止タイマ或いは流量センサや空検知センサで自動的に停止されるので、排水が終了するまで待たなくて良く、そのまま外出しても何ら心配がいらず、極めて使用勝手が良いものである。
【０００７】
【発明の実施の形態】
次に、この発明の一実施形態を図面に基づいて説明する。
１は貯湯タンクユニット、２はヒートポンプユニットよりなる加熱手段、３は給湯栓である。
【０００８】
前記貯湯タンクユニット１は、湯水を貯湯する貯湯タンク４と、貯湯タンク４の上部に接続された出湯管５と、貯湯タンク４の下部に接続された入水管６と、出湯管５からの高温水と入水管６から分岐された分岐管７からの低温水とを混合するミキシング弁８と、ミキシング弁８の下流に接続された給湯管９と、給湯管９に設けられた給湯温度センサ１０と、給湯管９に設けられた給湯流量センサ１１と、出湯管５から分岐して接続された貯湯タンク４の過圧を逃す過圧逃し弁１２と、入水管６に設けられた入水圧を減圧する減圧弁１３と、貯湯タンク４の側面上下方向に複数設けられた貯湯温度センサ１４と、この貯湯タンクユニット１の制御を行う給湯制御部１５と、貯湯タンク４と加熱手段２とを接続して湯水を循環させる循環回路１６とを備えて構成されている。
【０００９】
前記加熱手段２は、冷媒を圧縮するコンプレッサー１７と、凝縮器としての冷媒−水熱交換器１８と、減圧器１９と、蒸発器としての空気熱交換器２０よりなるヒートポンプ回路２１と、空気熱交換器２０に送風する送風機２２と、循環回路１６途中に設けられた能力可変の循環ポンプ２３と、循環回路１６の冷媒−水熱交換器１８入口側に設けられ、冷媒−水熱交換器１８に流入する湯水の温度を検出する熱交入口温度センサ２４と、循環回路１６の冷媒−水熱交換器１８出口側に設けられ、冷媒−水熱交換器１８から流出する湯水の温度を検出する熱交出口温度センサ２５と、この加熱手段２の制御を行う加熱制御部２６とを備えて構成されている。
【００１０】
そして、給湯栓３を開くと、入水管６からの圧により貯湯タンク４上部の高温水が出湯管５に押し出され、給湯制御部１５により制御されるミキシング弁８にて分岐管７の低温水と給湯温度センサ１０の検出する温度が所定の温度になるように混合されて給湯管９を介して給湯されるものである。なお、前記所定の温度は操作用リモコン（図示せず）により任意に設定されるものである。
【００１１】
２７は貯湯タンク４底部に接続された接続管で、手動で開閉される排水栓２８で通常時は常に閉塞されている。
２９は貯湯タンク４内の湯水を排水する時に、前記接続管２７に接続して使用される別置きの排水管で、途中には排水ポンプ３０が備えられており、この排水ポンプ３０は使用時に貯湯タンクユニット１の制御を行う給湯制御部１５に接続されて、該給湯制御部１５に設けられた排水スイッチ３１の押圧で駆動開始し、貯湯タンク４内方底部に備えた一対の電極から成る空検知センサ３２による貯湯タンク４内の空検出で、排水ポンプ３０の駆動を停止して排水を完了させるものである。
３３は入水管６途中で貯湯タンクユニット１内に備えられた給水栓で、手動で入水管６を開閉可能で貯湯タンク４内の湯水の排水時には、先ずここを締めて入水管６を閉成するものである。３４は排水路である。
【００１２】
次にこの発明一実施例の作動について説明する。
今長期留守に成る為に、貯湯タンク４内の湯水を排水する必要が生じた場合、先ず給水栓３２を締めて入水管６を閉成した後、接続管２７に排水管２９を接続し排水栓２８を開成してから排水スイッチ３１を押圧すれば、排水ポンプ３０が駆動開始して貯湯タンク４内の湯水を、排水管２９から排水路３４へ排水するものであり、貯湯タンク４内の３７０Ｌの湯水を排水ポンプ３０の能力にもよるが、１０分程度で排水するものである。
【００１３】
そして、貯湯タンク４内が空になることで、一対の電極からなる空検知センサ３２が湯水を介しての導通が無くなることで、空状態を検出することで、排水ポンプ３０の駆動を自動的に停止させるものであり、後は排水管２９を取り外して別に片付けておけば良い。
【００１４】
従って、貯湯タンク４内の水抜きが極めて短時間に且つ確実に行われ、使用勝手が良いものであり、従来のように水抜きが完了するまで長時間待つ必要もなく、極めて簡単に行われるものであり、又排水路３４が貯湯タンク４より高い位置にあったとしても、排水ポンプ３０で圧送して排水するので、確実に排水することが出来、排水路３４位置に関係なく機器の設置が行われ、設置フリ−とすることが出来るものである。
特に近年デットスペースの活用と言うことで、床下に機器を設置するようになったので、その使用効果は極めて大きい。
【００１５】
更に排水ポンプ３０の停止は、空検知センサ３２の空検出で自動的に行われるので、待つこともなく安心してその場を離れることも出来、極めて使用勝手が良いものである。
【００１６】
又、この一実施例では、空検知センサ３１を一対の電極で構成したが、これに限らず、例えば圧力の変化を検出する圧力センサ等で構成しても良く、その他に図３に示すように、空検知センサ３２でなく、排水ポンプ３０の駆動開始からカウントを開始し所定時間計時で出力して駆動を停止させる停止タイマ３５としても同様の効果を得ることは勿論である。
更に図４に示すように流量センサ３６で排水量をカウントし、予め３６０Ｌであれば３６０Ｌの基準値と比較して、基準値に達することで排水ポンプ３０を停止するようにしても同様の効果を得られるものである。
【００１７】
更にこの実施例では、貯湯タンク４を立設して説明したが、これに限定されることなく前記したように横置きにして床下に設置するようにしても、又電気ヒ−タを加熱手段とした電気温水器でも同様な効果が得られるものである。
【００１８】
【発明の効果】
以上のようにこの発明によれば、出張や旅行で長期間留守にする場合の貯湯タンクの水抜きは、別置きの排水管を接続するだけで、この排水管に設けられた排水ポンプを使用して強制的に行われるので、極めて短時間で終了し待つ必要がなく使用勝手が良く、前もって排水しておくこともなく、その場で直ぐに行われるもので手間も掛からないものであり、しかも排水路が上に有る場合でも容易に排水することが出来安心して使用出来るものであり、特に床下設置の場合には好適である。
【００１９】
又請求項２によれば、排水ポンプは停止タイマ或いは流量センサや空検知センサで自動的に停止されるので、排水が終了するまで待たなくて良く、そのまま外出しても何ら心配がいらず、極めて使用勝手が良いものである。
【図面の簡単な説明】
【図１】この発明の一実施例を付した貯湯式給湯装置の概略構成図。
【図２】同電気回路の要部ロック図。
【図３】他の実施例の電気回路の要部ブロック図。
【図４】他の実施例の電気回路の要部ブロック図。
【符号の説明】
２  加熱手段
４  貯湯タンク
５  出湯管
６  入水管
１５  給湯制御部
２８  排水栓
２９  排水管
３０  排水ポンプ
３１  排水スイッチ
３２  空検出センサ
３３  給水栓
３５  停止タイマ
３６  流量センサ
【図１】
2004197957.tif 000003
【図２】
2004197957.tif 000004
【図３】
2004197957.tif 000005
【図４】
2004197957.tif 000006